(57)【要約】【課題】コストの低減化を図りつつ、商品搬出扉２４の開閉移動範囲を良好に確保して、気密性能の向上を図ることができる自動販売機を提供すること。【解決手段】本体キャビネット１の内部に設けられた商品収容庫２と、商品収容庫２の前面開口を開閉するよう配設された内扉２０と、内扉２０の商品搬出口２３を開閉するよう配設された商品搬出扉２４と、本体キャビネット１の前面開口を開閉するよう配設され、かつ商品搬出口２３を通過した商品を商品取出口３２より取出可能にする外扉３０と、商品取出口３２を開閉するよう配設された商品取出扉３４とを備え、商品取出扉３４が商品取出口３２を閉成する場合には、商品取出扉３４の重力によるモーメントを商品搬出扉２４に付与する一方、商品取出口３２を閉成する商品取出扉３４が開移動する場合には、開移動に要する力を商品搬出扉２４に付与するリンク部材４０を備えたものである。【選択図】図３
2013015903.tif 000002
【特許請求の範囲】
【請求項１】
前面が開口した自動販売機本体の内部に、前面が開口して設けられた断熱構造の商品収容庫と、
前記商品収容庫の前面開口を開閉する態様で前記自動販売機本体に揺動可能に配設され、かつ前記商品収容庫から払い出された商品を通過させるための商品搬出口を有する断熱構造の内扉と、
前記商品搬出口を開閉する態様で前記内扉に揺動可能に配設された商品搬出扉と、
前記自動販売機本体の前面開口を開閉する態様で該自動販売機本体に揺動可能に配設され、かつ前記商品収容庫から払い出されて前記商品搬出口を通過した商品を自身に形成された商品取出口より取出可能にする外扉と、
前記商品取出口を開閉する態様で前記外扉に揺動可能に配設された商品取出扉と
を備えた自動販売機において、
前記商品取出扉が前記商品取出口を閉成する場合に、該商品取出扉の重力によるモーメントを前記商品搬出扉に付与することで該商品搬出扉に閉力を伝達する閉力伝達手段と、
前記商品取出口を閉成する前記商品取出扉が開移動する場合に、該開移動に要する力を前記商品搬出扉に付与することで該商品搬出扉に開力を伝達する開力伝達手段と
を備えたことを特徴とする自動販売機。
【請求項２】
前記閉力伝達手段及び前記開力伝達手段は、一端部が前記商品搬出扉に軸支され、かつ他端部が前記商品取出扉の揺動軸に近接離反する態様で変位可能に該商品取出扉に軸支された共通のリンク部材により構成されることを特徴とする請求項１に記載の自動販売機。
【発明の詳細な説明】
【技術分野】
【０００１】
本発明は、自動販売機に関し、より詳細には、例えば缶入り飲料やペットボトル入り飲料等の商品を販売する自動販売機に関するものである。
【背景技術】
【０００２】
従来、例えば缶入り飲料やペットボトル入り飲料等の商品を販売する自動販売機として、商品収容庫、内扉及び外扉を備えたものが知られている。商品収容庫は、前面に開口が形成された直方体状の自動販売機本体の内部に、前面が開口した状態で設けられている。この商品収容庫は、内部に収納する商品を所望の温度状態に保持するためのもので、断熱構造を有している。内扉は、断熱構造を有しており、商品収容庫の前面開口を開閉する態様で自動販売機本体に揺動可能に配設されている。この内扉には、商品収容庫から払い出された商品を通過する矩形状の商品搬出口が形成されている。外扉は、自動販売機本体の前面開口を開閉する態様で自動販売機本体に揺動可能に配設されている。この外扉には、商品収容庫から払い出されて商品搬出口を通過した商品を取り出すための矩形状の商品取出口が形成されている。
【０００３】
このような自動販売機においては、自動販売機本体内部への外気の進入を抑制して気密性能の向上を図るべく、商品搬出口を開閉する商品搬出扉を二重構造とし、一方の商品搬出扉をモータ等の電動機構を用いて開閉移動させている（例えば、特許文献１参照）。
【先行技術文献】
【特許文献】
【０００４】
【特許文献１】特開平４−３６５１９２号公報
【発明の概要】
【発明が解決しようとする課題】
【０００５】
ところが、このような自動販売機では、商品搬出扉を二重構造とし、一方の商品搬出扉を電動機構で開閉移動させているので、複雑な構造を有する電動機構に要するコストが過大なものとなるだけでなく、電動機構の設置スペースを確保する観点から商品搬出扉の開閉移動範囲も制限されていた。
【０００６】
本発明は、上記実情に鑑みて、コストの低減化を図りつつ、商品搬出扉の開閉移動範囲を良好に確保して、気密性能の向上を図ることができる自動販売機を提供することを目的とする。
【課題を解決するための手段】
【０００７】
上記目的を達成するために、本発明の請求項１に係る自動販売機は、前面が開口した自動販売機本体の内部に、前面が開口して設けられた断熱構造の商品収容庫と、前記商品収容庫の前面開口を開閉する態様で前記自動販売機本体に揺動可能に配設され、かつ前記商品収容庫から払い出された商品を通過させるための商品搬出口を有する断熱構造の内扉と、前記商品搬出口を開閉する態様で前記内扉に揺動可能に配設された商品搬出扉と、前記自動販売機本体の前面開口を開閉する態様で該自動販売機本体に揺動可能に配設され、かつ前記商品収容庫から払い出されて前記商品搬出口を通過した商品を自身に形成された商品取出口より取出可能にする外扉と、前記商品取出口を開閉する態様で前記外扉に揺動可能に配設された商品取出扉とを備えた自動販売機において、前記商品取出扉が前記商品取出口を閉成する場合に、該商品取出扉の重力によるモーメントを前記商品搬出扉に付与することで該商品搬出扉に閉力を伝達する閉力伝達手段と、前記商品取出口を閉成する前記商品取出扉が開移動する場合に、該開移動に要する力を前記商品搬出扉に付与することで該商品搬出扉に開力を伝達する開力伝達手段とを備えたことを特徴とする。
【０００８】
また、本発明の請求項２に係る自動販売機は、上述した請求項１において、前記閉力伝達手段及び前記開力伝達手段は、一端部が前記商品搬出扉に軸支され、かつ他端部が前記商品取出扉の揺動軸に近接離反する態様で変位可能に該商品取出扉に軸支された共通のリンク部材により構成されることを特徴とする。
【発明の効果】
【０００９】
本発明の自動販売機によれば、閉力伝達手段が、商品取出扉が商品取出口を閉成する場合に、該商品取出扉の重力によるモーメントを商品搬出扉に付与することで該商品搬出扉に閉力を伝達し、開力伝達手段が、商品取出口を閉成する商品取出扉が開移動する場合に、該開移動に要する力を商品搬出扉に付与することで該商品搬出扉に開力を伝達するので、商品搬出扉を自身の重力によるモーメントだけでなく商品取出扉の重力によるモーメントも付加して押圧することで気密性能の向上を図ることができる。しかも、商品搬出扉の開閉移動範囲と商品取出扉の開閉移動範囲とについては何ら規制をしないので、商品搬出扉の開閉移動範囲を良好に確保することができる。更に、従来のようにモータ等の電動機構を必要とせず、コストを低減させることができる。従って、コストの低減化を図りつつ、商品搬出扉の開閉移動範囲を良好に確保して、気密性能の向上を図ることができるという効果を奏する。
【図面の簡単な説明】
【００１０】
【図１】図１は、本発明の実施の形態である自動販売機を示す断面側面図である。
【図２】図２は、図１に示した商品搬出扉と商品取出扉との連結状態を模式的に示す分解斜視図である。
【図３】図３は、図１に示した内扉及び外扉の要部を模式的に示すもので、一部を断面で示している。
【図４】図４は、図１に示した内扉及び外扉の要部を模式的に示すもので、一部を断面で示している。
【図５】図５は、図１に示した内扉及び外扉の要部を模式的に示すもので、一部を断面で示している。
【図６】図６は、図１に示した内扉及び外扉の要部を模式的に示すもので、一部を断面で示している。
【発明を実施するための形態】
【００１１】
以下に添付図面を参照して、本発明に係る自動販売機の好適な実施の形態について詳細に説明する。
【００１２】
図１は、本発明の実施の形態である自動販売機を示す断面側面図である。ここで例示する自動販売機は、例えば缶入り飲料やペットボトル入り飲料等の商品を冷却、若しくは加熱した状態で販売するもので、自動販売機本体である本体キャビネット１を備えている。
【００１３】
本体キャビネット１は、複数の金属板を適宜組み合わせることによって構成したもので、前面が開口した直方体状に構成してある。この本体キャビネット１には、その内部に前面が開口した断熱構造の商品収容庫２が設けてある。本実施の形態では、本体キャビネット１の内面に予め板状に成形した断熱ボード３を配設することにより、これら断熱ボード３によって囲まれる空間に商品収容庫２を構成するようにしている。断熱ボード３は、図には明示していないが、発泡ウレタン等の断熱材によって成形した板状部材の表裏両面にそれぞれ面材として樹脂フィルムやクラフト紙を貼着したものである。
【００１４】
この商品収容庫２には、商品収納ラック５が配設してある。商品収納ラック５は、一対の側板５ａの間に通路形成部材５ｂを配設することによって上下方向に沿って延在する蛇行状の商品収納域６を構成したもので、商品収納域６に商品を収納する一方、商品販売指令が与えられた場合に最下位に位置するものから商品の払い出しを行う。本実施の形態では、複数の商品収納域６を有した商品収納ラック５を前後に配設するようにしている。
【００１５】
また、商品収容庫２には、下方部に商品シュータ７及び背面ダクト８が設けてある。商品シュータ７は、多数の通気孔を有した平板状部材であり、商品収容庫２の後方から前方に向けて漸次低くなる態様で傾斜して配設してある。背面ダクト８は、商品収容庫２において背面側に位置する部分に設けた導風路である。
【００１６】
商品シュータ７よりも下方となる部分には、後方側から蒸発器１０ａ、ヒータ１１及び庫内送風ファン１２が順次配置してある。蒸発器１０ａは、商品収容庫２の下部の機械室４に配置した圧縮機１０ｂ、凝縮器１０ｃ及び膨張機構１０ｄとともに冷却ユニット１０を構成するものである。ヒータ１１は、通電状態となる場合に発熱するものである。庫内送風ファン１２は、モータ１３が駆動した場合に商品収容庫２の後方から前方に向けて送風を行うものである。
【００１７】
一方、上記自動販売機には、内扉２０及び外扉３０が設けてある。内扉２０は、商品収容庫２の前面開口を覆うためのもので、本体キャビネット１の一側縁部に開閉可能に配設した自動販売機用扉体である。この内扉２０は、扉基体２１と商品搬出口枠２２とを備えて構成してある。
【００１８】
扉基体２１は、枠体としての扉基体板金と発泡ウレタン等の断熱材とによって成形した板状部材である。この扉基体２１には、上述した断熱ボード３と同様に、その表裏両面の所定個所に面材としての樹脂フィルムやクラフト紙が貼着してある。
【００１９】
商品搬出口枠２２は、扉基体２１に装着することによって矩形状の商品搬出口２３を構成するものである。このような商品搬出口２３は、商品収容庫２の商品収納ラック５から払い出され、かつ商品シュータ７を転動した商品を通過させるための開口である。
【００２０】
このような内扉２０においては、商品搬出口枠２２に商品搬出扉２４が設けてある。商品搬出扉２４は、商品搬出口２３を閉成するのに十分な大きさを有しており、樹脂材から形成されたものである。この商品搬出扉２４は、内方側から押された場合に商品搬出口２３が開成状態となるように上方の水平軸２５を中心として揺動可能に配設してあり、常態においては、自身の自重のモーメントにより商品搬出口２３を閉成している。
【００２１】
外扉３０は、本体キャビネット１の前面開口を覆うためのもので、内扉２０よりも前方側となる位置において、本体キャビネット１の一側縁部に開閉可能に配設してある。外扉３０の前面には、商品を販売する際に必要となるディスプレイウィンドウ３１や商品取出口３２が設けてあるとともに、図には明示しないが、商品選択ボタン、紙幣挿通口、硬貨投入口、返却レバー、金額表示器、硬貨返却口等が設けてある。
【００２２】
この外扉３０には、商品取出部３３が設けてある。商品取出部３３は、商品収容庫２における商品収納ラック５から払い出されて内扉２０の商品搬出口２３を通過した商品を収容し、かつ商品取出口３２を通じて該商品を取出可能にするものである。
【００２３】
また、上記外扉３０には、商品取出扉３４が設けてある。商品取出扉３４は、商品取出口３２を閉成するのに十分な大きさを有しており、樹脂材から形成されたものである。この商品取出扉３４は、前方側に引き出された場合に商品取出口３２が開成状態となるように上方の水平軸（揺動軸）３５を中心として揺動可能に配設してあり、常態においては、自身の自重のモーメントにより商品取出口３２を閉成している。
【００２４】
このような商品取出扉３４は、図２に示すように、上記商品搬出扉２４とリンク部材４０を介して連結してある。リンク部材４０は、例えば金属材料から形成されたロッド状のもので、その長さが固定されたものである。このリンク部材４０の一端部には、挿通孔４１が形成してあり、かかる挿通孔４１に商品搬出扉２４の先端部に形成された突出部２６が挿通している。これにより、リンク部材４０は、その一端部が突出部２６の軸心回りに回転可能に商品搬出扉２４に軸支されている。リンク部材４０の他端部には、軸状部４２が形成してある。この軸状部４２は、リンク部材４０の他端部を屈曲させることにより形成されるものである。より詳細に説明すると、軸状部４２は、リンク部材４０の他端部が商品取出扉３４の内面に取り付けた取付金４３の長孔４４を貫通した後に屈曲されることで形成されている。ここで長孔４４は、商品取出扉３４の水平軸３５の延在方向に対して直交する方向が長手方向となるものである。これにより、リンク部材４０は、その他端部が商品取出扉３４の水平軸３５に近接離反する態様で変位可能に該商品取出扉３４に軸支されている。
【００２５】
以上のように構成した自動販売機では、冷却ユニット１０を駆動した状態で庫内送風ファン１２を駆動すると、蒸発器１０ａにより冷却された空気が商品シュータ７の通気孔を通じて商品収納ラック５に供給される一方、商品収納ラック５を通過した空気が背面ダクト８を通じて庫内送風ファン１２に返却されることになり、商品収納ラック５に収納した商品を例えば５℃程度に冷却することが可能になる。
【００２６】
これとは逆に、ヒータ１１を通電状態にして庫内送風ファン１２を駆動すると、ヒータ１１に加熱された空気が商品シュータ７の通気孔を通じて商品収納ラック５に供給される一方、商品収納ラック５を通過した空気が背面ダクト８を通じて庫内送風ファン１２に返却されることになり、商品収納ラック５に収納した商品を例えば５５℃程度に加熱することが可能になる。
【００２７】
ところで、販売待機状態においては、図３に示すように、商品搬出扉２４は、自身の自重モーメントにより商品搬出口２３を閉成し、商品取出扉３４は、自身の自重モーメントにより商品取出口３２を閉成している。そして、商品搬出扉２４と商品取出扉３４とはリンク部材４０を介して連結されているために、商品取出扉３４の重力によるモーメントがリンク部材４０を介して商品搬出扉２４に付与される。これにより、商品搬出扉２４は、閉移動する方向に向けて押圧される。つまり、リンク部材４０は、商品取出扉３４が商品取出口３２を閉成する場合に、該商品取出扉３４の重力によるモーメントを商品搬出扉２４に付与して該商品搬出扉２４に閉力を伝達している。
【００２８】
購入者の購入操作に応じて商品販売指令が与えられると、対応する商品収納ラック５において最下位に収納された商品が商品シュータ７に払い出される。商品シュータ７に払い出された商品は、その傾斜にしたがって順次案内され、図４に示すように、商品搬出口２３を閉成する商品搬出扉２４に当接して一時的に保持される。
【００２９】
その後、購入者が商品取出扉３４を前方に向けて開移動させると、図５に示すように、リンク部材４０を介して商品取出扉３４に連結する商品搬出扉２４も自身の水平軸２５の軸心回りに開移動する。これにより商品搬出口２３は開成状態となる。つまり、リンク部材４０は、商品取出口３２を閉成する商品取出扉３４が開移動する場合に、開移動に要する力を商品搬出扉２４に付与することで該商品搬出扉２４に開力を伝達している。
【００３０】
このように商品搬出口２３が開成状態となることにより、一時的に保持された商品は、商品搬出口２３を通過して商品取出部３３に収容される。
【００３１】
そして、図６に示すように、購入者が商品取出部３３に収容された商品を取り出すために商品取出扉３４を更に開移動させると、商品搬出扉２４は開移動の上限位置に位置した状態でリンク部材４０の軸状部４２が商品取出扉３４の水平軸３５に近接する態様で長孔４４を変位し、商品取出扉３４を開移動の上限位置まで開移動させることができる。このとき、リンク部材４０の軸状部４２は、商品取出扉３４の水平軸３５よりも前方側に位置するよう取付金４３の形状を調整してある。かかる商品取出扉３４を開移動させた購入者は、商品取出口３２を通じて商品取出部３３に収容された商品を取り出すことができる。
【００３２】
購入者が商品取出扉３４から手を離すことで商品取出扉３４がフリーな状態になると、商品取出扉３４は、自身の重力のモーメントにより水平軸３５の軸心回りに閉移動する。このとき、リンク部材４０の軸状部４２が商品取出扉３４の水平軸３５に離反する態様で長孔４４を変位し、その後に開移動の上限位置に位置していた商品搬出扉２４も閉移動し、図３に示したような待機状態に戻る。このようにリンク部材４０は、他端部の軸状部４２が商品取出扉３４の水平軸３５に近接離反する態様で変位可能であるために、商品搬出扉２４の開閉移動範囲と商品取出扉３４の開閉移動範囲との差異を吸収することができる。
【００３３】
以上説明したように、本実施の形態である自動販売機においては、リンク部材４０が、商品取出扉３４が商品取出口３２を閉成する場合には、該商品取出扉３４の重力によるモーメントを商品搬出扉２４に付与して該商品搬出扉２４に閉力を伝達する一方、商品取出口３２を閉成する商品取出扉３４が開移動する場合には、開移動に要する力を商品搬出扉２４に付与することで該商品搬出扉２４に開力を伝達しているので、販売待機状態においては商品搬出扉２４を自身の重力によるモーメントだけでなく商品取出扉３４の重力によるモーメントも付加して押圧することで気密性能の向上を図ることができる。しかも、リンク部材４０が商品搬出扉２４の開閉移動範囲と商品取出扉３４の開閉移動範囲との差異を吸収することができるので、商品搬出扉２４の開閉移動範囲を良好に確保することができる。更に、商品搬出扉２４と商品取出扉３４とをリンク部材４０で連結するだけなので、従来のようにモータ１３等の電動機構を必要とせず、コストを低減させることができる。
【００３４】
従って、上記自動販売機によれば、コストの低減化を図りつつ、商品搬出扉２４の開閉移動範囲を良好に確保して、気密性能の向上を図ることができる。
【００３５】
また、気密性能の向上を図ることができることで、商品収容庫２からの熱リークを抑制でき、消費電力量の低減による省エネルギー化を図ることができる。
【００３６】
以上、本発明の好適な実施の形態について説明したが、本発明はこれに限定されるものではなく、種々の変更を行うことができる。
【００３７】
上述した実施の形態では、リンク部材４０が、商品取出扉３４が商品取出口３２を閉成する場合には、該商品取出扉３４の重力によるモーメントを商品搬出扉２４に付与して該商品搬出扉２４に閉力を伝達する一方、商品取出口３２を閉成する商品取出扉３４が開移動する場合には、開移動に要する力を商品搬出扉２４に付与することで該商品搬出扉２４に開力を伝達していたが、本発明においては、商品取出扉３４が商品取出口３２を閉成する場合に、該商品取出扉３４の重力によるモーメントを商品搬出扉２４に付与して該商品搬出扉２４に閉力を伝達する手段と、商品取出口３２を閉成する商品取出扉３４が開移動する場合に、開移動に要する力を商品搬出扉２４に付与することで該商品搬出扉２４に開力を伝達する手段とを別個に設けても構わない。かかる構成によっても、上述した実施の形態である自動販売機と同様の作用効果を奏することができる。
【００３８】
上述した実施の形態では、商品取出部３３において商品搬出扉２４と商品取出扉３４との間に防盗フラッパを示していないが、かかる防盗フラッパが設けられる場合には、該防盗フラッパには、リンク部材４０が貫通可能な貫通孔を形成してあることが望ましい。
【産業上の利用可能性】
【００３９】
以上のように、本発明に係る自動販売機は、例えば缶入り飲料やペットボトル入り飲料等の商品を販売するのに有用である。
【符号の説明】
【００４０】
１  本体キャビネット
２  商品収容庫
５  商品収納ラック
６  商品収納域
７  商品シュータ
１０  冷却ユニット
１１  ヒータ
２０  内扉
２１  扉基体
２２  商品搬出口枠
２３  商品搬出口
２４  商品搬出扉
２５  水平軸
２６  突出部
３０  外扉
３２  商品取出口
３３  商品取出部
３４  商品取出扉
３５  水平軸
４０  リンク部材
４１  挿通孔
４２  軸状部
４３  取付金
４４  長孔
【図１】
2013015903.tif 000003
【図２】
2013015903.tif 000004
【図３】
2013015903.tif 000005
【図４】
2013015903.tif 000006
【図５】
2013015903.tif 000007
【図６】
2013015903.tif 000008